(57)【特許請求の範囲】
【請求項１】
基部と、前記基部から立ち上がる固定支持部と、前記固定支持部に対して接近離反する可動支持部とを備え、
前記固定支持部の後面と前記可動支持部の前面との間に、クリアファイルを挟むことによって前記クリアファイルが腰折れにならなく又、倒れないようにしたクリアファイルエンドにおいて、
前記可動支持部は回動腕によって支持されたものであり、
前記回動腕の下端が前記基部に対して下部接続部によって回動可能に接続され、
前記回動腕の上端が前記可動支持部に対して上部接続部によって回動可能に接続され、
前記回動腕の回動によって、前記可動支持部が前記固定支持部に接近離反するように前後に回動するものであり、
前記回動腕は、前記下部接続部と前記上部接続部とが垂直状態となる直立位置から、前記可動支持部が前記固定支持部に当たって止まる前方停止位置までの前方範囲と、前記直立位置から、前記下部接続部よりも前記上部接続部が後方に位置する後方範囲との双方の範囲において回動可能であることを特徴とするクリアファイルエンド。
【請求項２】
前記上部接続部は、前記可動支持部の後方側に回動軸を備え、
前記可動支持部が前記固定支持部と接触していない状態において、前記可動支持部は、前記上部接続部の前記回動軸を中心として、前記可動支持部の下端が後方に回動するように力を受けている状態を保つものであり、
前記前方停止位置の手前において、前記可動支持部の上部が前記固定支持部に当接し、さらに前記回動腕が前記前方停止位置まで回動することで、前記可動支持部の全体が前記固定支持部に当接して、前記回動腕の回動が停止することを特徴とする請求項１記載のクリアファイルエンド。
【請求項３】
前記可動支持部が前記固定支持部と接触していない状態において、前記可動支持部は、前記上部接続部の前記回動軸を中心として、前記可動支持部の下端が後方に回動するように重量バランスによって力を受けている状態を保つものであり、且つ、前記可動支持部の下部が前記回動腕に当接している状態を保つものであることを特徴とする請求項２記載のクリアファイルエンド。
【請求項４】
前記可動支持部は、その上端が後方に向けて湾曲していることを特徴とする請求項１〜３の何れかに記載のクリアファイルエンド。
【発明の詳細な説明】
【技術分野】
【０００１】
本発明は、クリアファイルや本や薄い数枚のカタログ・ノートが倒れないように支持するためのクリアファイルエンドに関するものである。
【背景技術】
【０００２】
従来より、書架や机上に本を置く際には、その倒れを防止するために、ブックエンドが用いられている。近年、クリアファイルが多用されるに至ったが、クリアファイルは、従来の本やノートに比して、自立性が低く、腰折れが生じ易く、また滑りやすい。そのため、ブックスタンドのように広いスペースでも、腰折れや滑って倒れてしまうといことがないブックエンド、いうなればクリアファイルエンドの開発が望まれている。
【０００３】
従来からのブックエンドとしては、特許文献１に示すものが提案されている。このブックエンドは、図４に示すように、基板１と、該基板１の一端側より立ち上がる側壁２と、側壁２の両端部から回動可能に連結された第１作動杆４、４と、前記側壁２の両端部上方から回動可能に連結された第２作動杆５、５と、第２作動杆５、５の先端部に回動可能に取り付けられた平面板８（本発明の可動支持部に相当）とを備える。前記第１作動杆４、４と第２作動杆５、５は、前記側壁２の立ち上がり方向延長線上に突設するよう連結されていると共に、基板１の他端方向へ折れ曲がり固定可能とされているものである。
【０００４】
そして、第１作動杆４と第２作動杆５との連結部であるスライド軸支部６を所定の長孔７内所定位置で締結させる。これにより複数の本９は倒れることなく収納されることとなる。後に複数の本９を追加して収納したい場合には、前記スライド軸支部６の締結をゆるめ、平面板８を側壁２側に折り曲げて、既に収納されている本９と平面板８との間に空間を作り、その空間内に追加の本９を収納すればよい。
【０００５】
ところが、この特許文献１のものにあっては、前記の作動杆４、５によるリンク機構を用いるものであって、開く角度に制限があり、クリアファイルを探すのに、困難な場合があると考えられる。
【０００６】
また、この特許文献１の図では、平面板８は、垂直状態を保ったまま、平行移動するような図が示されているが、この平面板８は、第２作動杆５、５の先端部に回動可能に取り付けられたものに過ぎずない。従って、平面板８の方向が安定せず、第２作動杆５、５を持って素早く動かした場合などでは、平面板８が回転してしまうおそれがある。
【先行技術文献】
【特許文献】
【０００７】
【特許文献１】特開平８−５６７５７号公報
【発明の概要】
【発明が解決しようとする課題】
【０００８】
本発明の目的は、複数のクリアファイルを無理なく支持することができると共に、複数のクリアファイルから、目的のクリアファイルを探し易くしたクリアファイルエンドを提供することにある。
【０００９】
本発明の他の目的は、可動支持部を回動する腕によって固定支持部に対して接近離反させるようにしたクリアファイルエンドにおいて、可動支持部の移動中においても、安定した位置を示すことによって、クリアファイルなどの被支持物をうまく整理整頓することができるクリアファイルエンドの提供を図ることにある。
【課題を解決するための手段】
【００１０】
本発明は、基部と、前記基部から立ち上がる固定支持部と、前記固定支持部に対して接近離反する可動支持部とを備え、前記固定支持部の後面と前記可動支持部の前面との間に、クリアファイルを挟むことによって前記クリアファイルの倒れを防止したクリアファイルエンドを提供する。
【００１１】
前記可動支持部は回動腕によって支持されたものであり、前記回動腕の下端が前記基部に対して下部接続部によって回動可能に接続され、前記回動腕の上端が前記可動支持部に対して上部接続部によって回動可能に接続され、前記回動腕を手で持って回動させることによって、前記可動支持部が前記固定支持部に接近離反するように前後に回動する。もちろん、前記可動支持部を手で持って動かすようにしてもよい。
【００１２】
より詳しくは、前記回動腕は、前記下部接続部と前記上部接続部とが垂直状態となる直立位置から、前記可動支持部が前記固定支持部に当たって止まる前方停止位置までの前方範囲と、前記直立位置から、前記下部接続部よりも前記上部接続部が後方に位置する後方範囲との双方の範囲におい回動可能であることを特徴とする。
【００１３】
その際、前記上部接続部は、前記可動支持部の後方側に回動軸を備え、前記可動支持部が前記固定支持部と接触していない状態において、前記可動支持部は、前記上部接続部の前記回動軸を中心として、前記可動支持部の下端が後方に回動するように力を受けている状態を保つものとすることが望ましい。そして、前記前方停止位置の手前において、前記可動支持部の上部が前記固定支持部に当接し、さらに前記回動腕が前記前方停止位置まで回動することで、前記可動支持部の全体が前記固定支持部に当接して、前記回動腕の回動が停止する。
【００１４】
また、前記可動支持部が前記固定支持部と接触していない状態において、前記可動支持部は、前記上部接続部の前記回動軸を中心として、前記可動支持部の下端が後方に回動するように重量バランスによって力を受けている状態を保つものであり、且つ、前記可動支持部の下部が前記回動腕に当接している状態を保つようにすることも望ましい。
また、前記可動支持部は、平板状のものであってもよいが、その上端を、後方に向けて湾曲させてもよい。
【発明の効果】
【００１５】
本発明は、複数のクリアファイルを無理なく支持することができると共に、複数のクリアファイルから、目的のクリアファイルを探し易くしたクリアファイルエンドを提供する事ができたものである。
【００１６】
また、本発明のクリアファイルエンドにあっては、前記上部接続部が、前記可動支持部の後方側に回動軸を備え、前記回動腕が前記前方範囲にある間、前記上部接続部の前記回動軸を中心として、前記可動支持部は、重力バランスによって、前記可動支持部の下端が後方に回動するように力を受けている状態を保つものであるため、可動支持部の移動中においても、安定した位置を示すことができ、これによって、クリアファイルなどの被支持物を、前記固定支持部との間にうまく挟むことができる。
【図面の簡単な説明】
【００１７】
【図１】本発明の実施の形態に係るクリアファイルエンドの斜視図である。
【図２】（Ａ）〜（Ｄ）は、同クリアファイルエンドの動きを示す側面図である。
【図３】本発明の他の実施の形態に係るクリアファイルエンドの斜視図である。
【図４】従来のブックエンドの斜視図である。
【発明を実施するための形態】
【００１８】
以下、図面に基づき本発明の実施の形態を説明する。
【００１９】
このクリアファイルエンドは、机上や棚の上に置かれる基部１１と、この基部１１に設けられた固定支持部２１と、固定支持部２１に対して接近離反可能な可動支持部３１とを備える。可動支持部３１は、回動腕４１に回動可能に支持されている。この例では、回動腕４１は１本のみが設けられているが、２本以上であってもよい。このクリアファイルエンドは、全体が金属製であるが、合成樹脂製や木製など、クリアファイルや書面を支持できる強度を有する適宜素材に変更して実施することができる。
【００２０】
基部１１は、平板状をなしており、図の右側に固定支持部２１が立設されている。以下の説明では、図の右方を前方として、図の左方を後方として説明するが、これらは相対的な位置関係を示すに止まり、絶対的な位置を特定するものではない。
【００２１】
可動支持部３１は、固定支持部２１の後方側に配置されており、クリアファイルは、可動支持部３１と固定支持部２１との間に挟まれた状態で、基部１１の上に置かれる。従って、固定支持部２１と可動支持部３１とは、クリアファイルを腰折れすることなく挟んで支持できる大きさであることが好ましいが、装飾性などを考慮して、種々の形状や大きさのものに変更して実施することができる。
なお、基部１１は、平板状体のほか、枠体であってもよく、また机や棚に作り付けのものにあっては、机の天板や、棚板自体であってもよい。
【００２２】
また、固定支持部２１も、平板状をなしているが、クリアファイルを立てかけることができることを条件に、枠体などの他の形状に変更することができ、また作り付けの場合には、棚の側板などであってもよい。
本発明の特徴的部分は、回動腕４１による可動支持部３１の動きである。以下、これについて詳述する。
【００２３】
まず、回動腕４１は、その下部が、下部接続部４２の回動軸４３によって、基部１１に対して回動可能に支持されている。また回動腕４１の上部は、上部接続部４４の回動軸４５によって、可動支持部３１を回動可能に支持している。したがって、下部接続部４２の回動軸４３を中心にして、回動腕４１を前方に回動させることによって、可動支持部３１が前進して、固定支持部２１との間にクリアファイルを挟むことができる。また、回動腕４１を後方に回動させることによって、可動支持部３１が後退して、固定支持部２１との距離が開き、クリアファイルの差し込みが容易となる。なお、クリアファイルを抜き取る場合には、クリアファイルを引き抜くだけで、容易に取り出すことができる。
【００２４】
特に、この回動腕４１は、下部接続部４２の回動軸４３と、上部接続部４４の回動軸４５とが垂直に並ぶ直立状態５０（図２（Ａ）参照）から、前方に回動して固定支持部２１に接近して前方停止位置５１で停止するまでの前方回動範囲５２（図２（Ｂ）〜（Ｃ）参照）と、直立状態５０から後方に回動して後方停止位置５３にて停止するまでの後方回動範囲５４（図２（Ｄ）参照）との、両範囲に渡って回動することができる。そのため、多数のクリアファイルを探す時には、前方回動範囲５２から後方回動範囲５４に渡って回動させて、後方停止位置５３にて停止させることで、固定支持部２１と可動支持部３１との間を大きく開くことができ、クリアファイルの前面又は後面に現れた記載内容を容易に確認することができ、目的のクリアファイルを容易に見つけ出すことができる。
【００２５】
しかも、回動腕４１は回動するものであり、後方停止位置５３では可動支持部３１が扇形に開く。そのため、下側よりも上側が大きく開くようになるため、極めて能率的にクリアファイルの前面又は後面を確認することができる。
【００２６】
なお、回動腕４１が、後方停止位置５３にて停止するのは、回動腕４１の下端が固定支持部２１に当接することによって停止するものであるが、下部接続部４２の一部にストッパを設けるなどして、回動腕４１の回動範囲を規制するようにてしもよい。
【００２７】
可動支持部３１は、前方回動範囲５２及び後方停止位置５３にある間、上部接続部４４の回動軸４５を中心として回動する。そのとき、可動支持部３１は、重力バランスによって、その下端が後方に回動するように力を受けている。その結果、可動支持部３１は回動腕４１に沿った状態を保つものであり、これによって、回動腕４１を動かしても、可動支持部３１が回動腕４１に沿った状態を維持するものであり、可動支持部３１が不用意に回動してしまうことを防止することができる。より具体的には、この実施の形態では、可動支持部３１が固定支持部１１に当接しない状態での回動腕４１の最小の傾斜角度は約６０度である。これに対して、可動支持部３１を上部接続部４４の回動軸４５から自然状態で吊り下げた場合、前記最小の傾斜角度よりも小さな約５０度である。このように、可動支持部３１を自然状態で吊り下げた場合の傾斜角度が、回動腕４１の前述の最小の傾斜角度よりも小さくなることで、可動支持部３１は重力バランスによって、その下端が後方に回動するように力を受けている状態で、その下端が回動腕４１に当接した状態を維持するものである。
【００２８】
なお、この実施の形態では、上記のように重量バランスによって、可動支持部３１が回動腕４１に沿うようにしていたが、回動軸４５の軸回りにスプリングを配置するなどして、可動支持部３１を後方に付勢するようにしてもよい。このように、可動支持部３１が回動腕４１に沿うようにしておくことが好ましいものではあるが、沿うものとはせずに、自由に回動するようにして実施することも可能である。
【００２９】
なお、図２（Ｂ）に示すように、可動支持部３１は、その上部が固定支持部２１に当接するまでは、回動腕４１に沿った状態である。そして、回動腕４１をさらに前方に回動させることにより、固定支持部２１に可動支持部３１の上部がまず当接する。この状態からさらに回動させることによって、可動支持部３１の前面側の全体が固定支持部２１の後面側に当接することによって、回動腕４１の回動が停止する（図２（Ｃ）参照）。
【００３０】
また、図３に示すように、可動支持部３１の上端寄りの部分を後方に湾曲させることにより、回動腕４１を開かなくてもクリアファイルをより挿入しやすくすることができる。詳しくは、可動支持部３１の上端寄りの部分から、クリアファイルを差し入れるだけで、その厚み分だけ可動支持部３１及び回動腕４１が僅かに開いて、クリアファイルを挟んだ状態になる。
【００３１】
なお、回動腕４１と可動支持部３１は、それらの重量によって前方から下方に回動し、クリアファイルを固定支部部２１との間に挟むことができるようにしているが、バネ等の付勢手段によって、前方から下方に回動するように付勢するものとして実施することができる。
【００３２】
さらに図示はしないが、回動腕４１を１本ではなく複数本設けることもできる。その場合、回動腕４１を、可動支持部３１の左右両側に設けたり、中央と左右両側に設けるなどして、左右のバランスが均等となるように配置することが好ましい。また回動腕４１を棒状のもので実施する他、面状のもので実施するようにしてもよい。
【符号の説明】
【００３３】
１１  基部
２１  固定支持部
３１  可動支持部
４１  回動腕
４２  下部接続部
４３  回動軸
４４  上部接続部
４５  回動軸
５０  直立状態
５１  前方停止位置
５２  前方回動範囲
５３  後方停止位置
５４  後方回動範囲
【要約】
【課題】複数のクリアファイルを無理なく、又折れ曲がることなく支持することができると共に、複数のクリアファイルから、目的のクリアファイルを探し易くしたクリアファイルエンドの提供を図る。
【解決手段】基部１１と、固定支持部２１と、固定支持部２１に対して接近離反する可動支持部３１とを備え、固定支持部２１と可動支持部３１との間に、クリアファイルを挟むことによってクリアファイルの倒れを防止する。可動支持部３１は回動腕４１によって支持されている。回動腕４１の下端が基部１１に対して下部接続部４２によって回動可能に接続され、回動腕４１の上端が可動支持部３１に対して上部接続部４４によって回動可能に接続されている。回動腕４１は、直立位置から前方の前方範囲と、後方の後方範囲との双方の範囲におい回動可能である。
【選択図】図１【図１】
0005400245.tif 000002
【図２】
0005400245.tif 000003
【図３】
0005400245.tif 000004
【図４】
0005400245.tif 000005